(57)【特許請求の範囲】
【請求項１】
電子マネーの残高を記憶したＩＣカードのカード表面に設けられたデータ表示媒体に表示する広告データを管理する広告データ表示管理方法であって、
前記データ表示媒体に表示させる前記広告データと共に、前記広告データの表示が許可される利用回数を示すカウンタ値の初期値を前記ＩＣカードに記憶させておき、
前記ＩＣカードを利用した電子決済を行う際、前記ＩＣカードと組合されて利用される端末装置が、電子マネーの残高の更新を前記ＩＣカードに指示する手順Ａ、前記ＩＣカードが、前記端末装置から指示された値に電子マネーの残高を更新した後、前記カウンタ値を一つだけ減算し、更新後の電子マネーの残高と減算後の前記カウンタ値を前記端末装置へ通知する手順Ｂ、前記端末装置が、更新後の電子マネーの残高の表示を前記ＩＣカードに指示する手順Ｃ、前記ＩＣカードが、前記ＩＣカードに記憶している電子マネーの残高を前記データ表示媒体に表示する手順Ｄ、前記端末装置が、電子マネーの残高を更新した際に前記ＩＣカードから通知された前記カウンタ値を確認し、前記カウンタ値が「０」の場合、新規の前記広告データと前記カウント値の初期値を前記ＩＣカードに送信し、新規の前記広告データおよび前記カウント値の初期値の書き込みを指示する手順Ｅ、前記ＩＣカードが、新規の前記広告データと前記カウント値の初期値を記憶する手順Ｆ、前記端末装置が、前記広告データの表示を前記ＩＣカードに指示する手順Ｇ、前記ＩＣカードが、前記ＩＣカードに記憶した前記広告データを前記データ表示媒体に表示する手順Ｈ、
が実行されることを特徴とする広告データ表示管理方法。
【請求項２】
電子マネーの残高を記憶したＩＣカードのカード表面に設けられたデータ表示媒体に表示させる広告データを管理する広告データ表示管理システムであって、前記広告データ表示管理システムは、前記ＩＣカードと、前記ＩＣカードと組合されて利用される端末装置とから少なくとも構成され、
前記ＩＣカードは、前記データ表示媒体に加え、前記広告データ、前記広告データの表示が許可される利用回数を示すカウンタ値および電子マネーの残高を記憶するデータ記憶手段と、前記端末装置から受信した前記広告データおよび前記カウンタ値の初期値を前記データ記憶手段に記憶させる広告データ書込み手段と、前記広告データの表示指示を前記端末装置から受けると、前記データ記憶手段に記憶された前記広告データを前記データ表示媒体に表示する広告データ表示手段と、電子マネーの残高の更新指示を前記端末装置から受けると、前記データ記憶手段に記憶している電子マネーの残高を前記端末装置から指示された値に更新した後、前記データ記憶手段に記憶している前記カウンタ値を一つだけ減算し、更新後の電子マネーの残高と減算後の前記カウンタ値を前記端末装置に通知する電子マネー更新手段とを備え、
前記端末装置は、前記ＩＣカードを利用した電子決済を行う際、電子マネーの残高の更新を前記ＩＣカードに指示して、前記ＩＣカードに記憶している電子マネーの残高を更新した後、更新後の電子マネーの残高の表示を前記ＩＣカードに指示し、前記ＩＣカードの前記データ表示媒体に更新後の電子マネーの残高を表示させる電子マネー決済手段と、電子マネーの残高を更新した際に前記ＩＣカードから通知された前記カウンタ値を確認し、前記カウンタ値の値が「０」の場合、新規の前記広告データおよび前記広告データに対応する前記カウンタ値の初期値を前記ＩＣカードに送信することで、前記ＩＣカードに備えられた前記広告データ書込み手段を作動させ、前記ＩＣカードに記憶された前記広告データ及び前記カウンタ値を更新し、前記広告データの表示を前記ＩＣカードに指示する広告データ更新手段を備えていることを特徴とする広告データ表示管理システム。
【請求項３】
広告データを表示するためのデータ表示媒体と、前記広告データ、前記広告データの表示が許可される利用回数を示すカウンタ値および電子マネーの残高を記憶するデータ記憶手段と、組合されて利用される端末装置から受信した前記広告データおよび前記カウンタ値の初期値を前記データ記憶手段に記憶させる広告データ書込み手段と、前記広告データの表示指示を前記端末装置から受けると、前記データ記憶手段に記憶された前記広告データを前記データ表示媒体に表示する広告データ表示手段と、電子マネーの残高の更新指示を前記端末装置から受けると、前記データ記憶手段に記憶している電子マネーの残高を前記端末装置から指示された値に更新した後、前記データ記憶手段に記憶している前記カウンタ値を一つだけ減算し、更新後の電子マネーの残高と減算後の前記カウンタ値を前記端末装置に通知する電子マネー更新手段とを備えたことを特徴とするＩＣカード。
【発明の詳細な説明】
【技術分野】
【０００１】
本発明は、データ表示媒体を備えたＩＣカードに代表される装置に表示される広告データを管理するための技術に関する。
【背景技術】
【０００２】
カード媒体の表面に任意のデータを表示する技術として、表示媒体として感熱式のリライト材をカード表面に設け、端末装置に備えられたサーマルヘッドによって、カード表面のリライト材に任意のデータを印字する方式が一般的に用いられてきた。
【０００３】
しかし、交通用途や金融用途でＩＣカードが普及するにつれ、ＩＣカードのカード表面に設けられる表示媒体は、感熱式のリライト材から、コンピュータから送信されたデータを表示する表示媒体（液晶ディスプレイや電子ペーパーなど）が採用されるケースが増えている。
【０００４】
例えば、特許文献１では、表示装置（例えば、強誘電高分子液晶）をカード表面に備え、カードのメモリに記録されたデータに相当する情報をこの表示装置に表示させる機能を有するＩＣモジュールが実装されたＩＣカードが開示されている。
【０００５】
更に、特許文献２では、表示媒体である電子ペーパーをカード表面に実装させることで、カード表面のデザイン（例えば、所有者の顔写真）を容易に変更可能なカード及びその変更を行うカードシステムが開示されている。
【０００６】
特許文献１や特許文献２で開示されているカードを用いることで、カードの表面に様々なデータを表示させることができ、例えば、特許文献３で開示されているＩＣカードのように、表示媒体を備えたカードを広告のツールとして利用することも容易に想定できる。
【特許文献１】特開平１１−１２０３１２号公報
【特許文献２】特開２００４−３０４０６号公報
【特許文献３】特開２００３−２０８５７９号公報
【発明の開示】
【発明が解決しようとする課題】
【０００７】
特許文献３で開示されている発明では、第１の広告データはＩＣカードのカード表面に印刷されて変更不可能であるが、表示媒体を備えたカードを広告のツールとして利用する場合、表示媒体に表示する広告データは変更可能である。よって、表示媒体に表示する広告データは、街角のポスターのように、広告代金に応じて変更されることが望ましいが、広告代金に合わせて、電子ペーパーなどの表示媒体に表示する広告データを変更できる仕組みは考案されていなかった。
【０００８】
そこで、本発明は、広告代金に合わせて、電子ペーパーなどの表示媒体に表示される広告データを管理する方法、システム、およびＩＣカードを提供することを目的とする。
【課題を解決するための手段】
【０００９】
上述した課題を解決する第１の発明は、電子マネーの残高を記憶したＩＣカードのカード表面に設けられたデータ表示媒体に表示する広告データを管理する広告データ表示管理方法であって、前記データ表示媒体に表示させる前記広告データと共に、前記広告データの表示が許可される利用回数を示すカウンタ値の初期値を前記ＩＣカードに記憶させておき、前記ＩＣカードを利用した電子決済を行う際、前記ＩＣカードと組合されて利用される端末装置が、電子マネーの残高の更新を前記ＩＣカードに指示する手順Ａ、前記ＩＣカードが、前記端末装置から指示された値に電子マネーの残高を更新した後、前記カウンタ値を一つだけ減算し、更新後の電子マネーの残高と減算後の前記カウンタ値を前記端末装置へ通知する手順Ｂ、前記端末装置が、更新後の電子マネーの残高の表示を前記ＩＣカードに指示する手順Ｃ、前記ＩＣカードが、前記ＩＣカードに記憶している電子マネーの残高を前記データ表示媒体に表示する手順Ｄ、前記端末装置が、電子マネーの残高を更新した際に前記ＩＣカードから通知された前記カウンタ値を確認し、前記カウンタ値が「０」の場合、新規の前記広告データと前記カウント値の初期値を前記ＩＣカードに送信し、新規の前記広告データおよび前記カウント値の初期値の書き込みを指示する手順Ｅ、前記ＩＣカードが、新規の前記広告データと前記カウント値の初期値を記憶する手順Ｆ、前記端末装置が、前記広告データの表示を前記ＩＣカードに指示する手順Ｇ、前記ＩＣカードが、前記ＩＣカードに記憶した前記広告データを前記データ表示媒体に表示する手順Ｈ、が実行されることを特徴とする広告データ表示管理方法である。
【００１０】
上述した第１の発明によれば、ユーザが前記装置を利用するとき、ユーザが前記データ表示媒体に表示された前記広告データを目にすることが期待できるため、前記広告データの表示が許可される利用回数を前記カウンタ値の初期値として設定し、前記カウンタ値の初期値に応じて広告料金を決定すれば、ユーザが前記広告データを目にする回数に応じて、広告料金を容易に設定できるようになる。また、上述した第１の発明によれば、様々な分野に展開されているＩＣカードシステムに、本発明を適用することが可能になる。
【００１３】
更に、第２の発明は、電子マネーの残高を記憶したＩＣカードのカード表面に設けられたデータ表示媒体に表示させる広告データを管理する広告データ表示管理システムであって、前記広告データ表示管理システムは、前記ＩＣカードと、前記ＩＣカードと組合されて利用される端末装置とから少なくとも構成され、前記ＩＣカードは、前記データ表示媒体に加え、前記広告データ、前記広告データの表示が許可される利用回数を示すカウンタ値および電子マネーの残高を記憶するデータ記憶手段と、前記端末装置から受信した前記広告データおよび前記カウンタ値の初期値を前記データ記憶手段に記憶させる広告データ書込み手段と、前記広告データの表示指示を前記端末装置から受けると、前記データ記憶手段に記憶された前記広告データを前記データ表示媒体に表示する広告データ表示手段と、電子マネーの残高の更新指示を前記端末装置から受けると、前記データ記憶手段に記憶している電子マネーの残高を前記端末装置から指示された値に更新した後、前記データ記憶手段に記憶している前記カウンタ値を一つだけ減算し、更新後の電子マネーの残高と減算後の前記カウンタ値を前記端末装置に通知する電子マネー更新手段とを備え、前記端末装置は、前記ＩＣカードを利用した電子決済を行う際、電子マネーの残高の更新を前記ＩＣカードに指示して、前記ＩＣカードに記憶している電子マネーの残高を更新した後、更新後の電子マネーの残高の表示を前記ＩＣカードに指示し、前記ＩＣカードの前記データ表示媒体に更新後の電子マネーの残高を表示させる電子マネー決済手段と、電子マネーの残高を更新した際に前記ＩＣカードから通知された前記カウンタ値を確認し、前記カウンタ値の値が「０」の場合、新規の前記広告データおよび前記広告データに対応する前記カウンタ値の初期値を前記ＩＣカードに送信することで、前記ＩＣカードに備えられた前記広告データ書込み手段を作動させ、前記ＩＣカードに記憶された前記広告データ及び前記カウンタ値を更新し、前記広告データの表示を前記ＩＣカードに指示する広告データ更新手段を備えていることを特徴とする広告データ表示管理システムである。
【００１６】
更に、第３の発明は、広告データを表示するためのデータ表示媒体と、前記広告データ、前記広告データの表示が許可される利用回数を示すカウンタ値および電子マネーの残高を記憶するデータ記憶手段と、組合されて利用される端末装置から受信した前記広告データおよび前記カウンタ値の初期値を前記データ記憶手段に記憶させる広告データ書込み手段と、前記広告データの表示指示を前記端末装置から受けると、前記データ記憶手段に記憶された前記広告データを前記データ表示媒体に表示する広告データ表示手段と、電子マネーの残高の更新指示を前記端末装置から受けると、前記データ記憶手段に記憶している電子マネーの残高を前記端末装置から指示された値に更新した後、前記データ記憶手段に記憶している前記カウンタ値を一つだけ減算し、更新後の電子マネーの残高と減算後の前記カウンタ値を前記端末装置に通知する電子マネー更新手段とを備えたことを特徴とするＩＣカードである。
【００１７】
上述した第２の発明および第３の発明によれば、第１の発明と同様の効果が得られる。
【発明の効果】
【００１８】
上述した本発明によれば、広告代金に合わせて、電子ペーパーなどの表示媒体に表示される広告データを管理する方法、システム、およびＩＣカードを提供することが可能になる。
【発明を実施するための最良の形態】
【００１９】
ここから、本発明に係わる広告データ表示管理システム、広告データ表示管理方法および広告表示装置付きカードについて、図を参照しながら詳細に説明する。
【００２０】
図１は、広告データ表示管理システム１の構成図である。本実施の形態は、商品の購入代金などを電子決済するシステムに本発明を適用した形態で、本実施の形態に係わる広告データ表示システム１は、データ表示媒体を備えた非接触ＩＣカードである広告表示装置付きカード１０と、広告表示装置付きカード１０と組合されて利用される端末装置２０とから構成される。
【００２１】
広告表示装置付きカード１０は、端末装置２０と電気的に接続する通信インターフェース（以下、「Ｉ／Ｆ」と記す。）を備え、端末装置２０から受信した広告データを表示するデータ表示媒体として、広告表示装置付きカード１０のカード表面には電子ペーパー１１０が設けられ、広告表示装置付きカード１０は、端末装置２０から送信された広告データをメモリに記憶すると共に、メモリに記憶した広告データを電子ペーパー１１０に表示させる機能を備えている。
【００２２】
広告表示装置付きカード１０の電子ペーパー１１０に表示する広告データを管理するために、端末装置２０から広告表示装置付きカード１０には、電子ペーパー１１０に表示させる広告データに加え、広告データの表示管理に利用するカウンタ値の初期値が送信され、広告表示装置付きカード１０は、受信した広告データとカウンタ値の初期値をメモリに記憶する。
【００２３】
広告表示装置付きカード１０に記憶された広告データは電子ペーパー１１０に表示され、広告表示装置付きカード１０に記憶されたカウンタ値は、広告表示装置付きカード１０は電子マネーが利用される毎に、すなわち、広告表示装置付きカード１０が端末装置２０で利用される毎に減算され、広告表示装置付きカード１０はカウンタ値を減算すると、端末装置２０にカウンタ値を通知する。
【００２４】
端末装置２０は、広告表示装置付きカード１０から送信されたカウンタ値が「０」であるとき、新規の広告データを広告表示装置付きカード１０に送信したり、広告表示装置付きカード１０に記憶された広告データを消去するなどして、広告表示装置付きカード１０の電子ペーパー１１０に表示された広告データを更新する。
【００２５】
本実施の形態に係わる広告データ表示管理システム１によれば、ユーザが広告表示装置付きカード１０を利用するとき、ユーザが電子ペーパー１１０に表示された広告データを目にすることが期待できるため、広告データの表示が許可される利用回数をカウンタ値の初期値として設定し、カウンタ値の初期値に応じて広告料金を決定すれば、ユーザが広告データを目にする回数に応じて、広告料金を容易に設定できるようになる。
【００２６】
図２は、本実施の形態に係わる端末装置２０の機能ブロック図である。端末装置２０は、ＣＰＵやハードディスクなどを備えたコンピュータ機器で、端末装置２０は、認識した広告表示装置付きカード１０と非接触でデータ通信するための非接触通信手段２１と、広告表示装置付きカード１０に記憶された電子マネーを利用して電子決済する電子マネー決済手段２３と、広告表示装置付きカード１０に記憶されたポイントを利用するポイント利用手段２４と、広告表示装置付きカード１０の電子ペーパー１１０に表示する広告データを更新する広告データ更新手段２２と、様々な広告データを記憶する広告データベース２５とを備える。
【００２７】
端末装置２０に備えられた非接触通信手段は、ISO/IEC14443準拠の近接非接触通信するリーダライタと同様な回路構成を有する電子機器で、広告データベースはハードディスクなどの大容量の記憶装置で、それ以外の手段は、各手段として端末装置２０のＣＰＵを機能させるコンピュータプログラムで実現される。
【００２８】
広告データベース２５には、広告表示装置付きカード１０の電子ペーパー１１０に表示する様々な広告データがビットマップ形式で記憶され、各々の広告データには、広告代金に応じたカウンタ値の初期値が付与されている。
【００２９】
端末装置２０に備えられた電子マネー決済手段２３は、広告表示装置付きカード１０に記憶された電子マネーの残高から、商品の購入代金などの金額に応じた電子マネーを減算することで、商品の購入代金などを電子決済する手段で、広告表示装置付きカード１０に備えられた電子マネー決済用のコマンド、例えば、ＰＩＮを認証するコマンドや電子マネー残高を更新するコマンドのＡＰＤＵを広告表示装置付きカード１０に送信し、広告表示装置付きカード１０に記憶された電子マネーを利用した電子決済に係わる一連の処理を実行する。
【００３０】
端末装置２０に備えられたポイント利用手段２４は、広告表示装置付きカード１０に記憶されたポイントの累計に、商品の購入代金などの金額に応じたポイントを加算することで、商品の購入代金に応じたポイントをユーザに付与したり、ユーザが利用したポイントを広告表示装置付きカード１０に記憶されたポイントの累計から減算する手段で、ポイントを加算するコマンドや、ポイントを減算するコマンドのＡＰＤＵを広告表示装置付きカード１０に送信し、広告表示装置付きカード１０に記憶されたポイントの利用に係わる一連の処理を実行する。
【００３１】
端末装置２０に備えられた広告データ更新手段２２は、電子マネー残高を更新するコマンドのレスポンスとして広告表示装置付きカード１０から送信されるカウンタ値から、広告表示装置付きカード１０の電子ペーパー１１０に表示している広告データの更新が必要であるか判断し、広告データの更新が必要と判断したとき、広告表示装置付きカード１０に表示する広告データを更新する手段である。
【００３２】
広告データ更新手段２２は、電子マネー残高を更新するコマンドのレスポンスとして広告表示装置付きカード１０から受信したカウンタ値が「０」であるとき、広告データベース２５から更新する広告データとカウンタ値の初期値を取得し、更新する広告データとカウンタ値の初期値を広告表示装置付きカード１０のメモリに記憶させるコマンドを送信すると共に、広告データを表示させるコマンドを広告表示装置付きカード１０に送信し、広告表示装置付きカード１０の電子ペーパー１１０に更新後の広告データを表示させる。
【００３３】
図３は、本実施の形態に係わる広告表示装置付きカード１０の回路ブロック図である。図３に図示したように、広告表示装置付きカード１０は電子部品として、広告データの表示媒体となる電子ペーパー１１０と、端末装置２０から発信される電波を受信するためのアンテナコイル１１１と、非接触ＩＣチップ１２０とを備えている。
【００３４】
電子ペーパー１１０は、電子粉流体層或いは液晶層と電極などが組み合わされた表示媒体で、本実施形態では、電源が切れても表示が維持される電子ペーパー１１０を採用している。
【００３５】
広告表示装置付きカード１０のアンテナコイル１１１は端末装置２０から電波を受信し、アンテナコイル１１１の両端は非接触ＩＣチップ１２０と接続し、非接触ＩＣカードと同様に、アンテナコイル１１１は、非接触ＩＣチップ１２０への電力供給や、端末装置２０とのデータ通信に利用される。
【００３６】
非接触ＩＣチップ１２０は、特許文献１に開示されているような、表示媒体（ここでは、電子ペーパー１１０）を制御する機能を備えたＩＣチップで、非接触ＩＣチップ１２０を制御するＣＰＵ１２１と、ＣＰＵ１２１がプログラムを実行するときに利用されるＲＡＭ１２２と、電気的に書換え不可能な不揮発性メモリであるＲＯＭ１２３と、電気的に書換え可能な不揮発性メモリであるＥＥＰＲＯＭ１２４と、電子ペーパー１１０を制御し、電子ペーパー１１０にデータを表示する機能を有する電子ペーパー駆動回路１２５と、近接非接触通信の通信インターフェースである非接触通信Ｉ／Ｆ１２６を備えている。
【００３７】
非接触ＩＣチップ１２０の電子ペーパー駆動回路１２５には電子ペーパー１１０が接続され、電子ペーパー駆動回路１２５は、ＥＥＰＲＯＭ１２４の指定されたアドレスに記憶されているデータを読み取り、ＥＥＰＲＯＭ１２４の指定されたアドレスに記憶されているデータを電子ペーパー１１０に表示させる機能を備えている。
【００３８】
図４は、本実施の形態に係わる広告表示装置付きカード１０の機能ブロック図である。図３に図示したように、広告表示装置付きカード１０は、端末装置２０と近接非接触通信するときに作動する非接触通信手段１１と、端末装置２０から受信した広告データをデータ記憶手段１７に記憶する広告データ書込み手段１２と、広告表示装置付きカード１０にチャージされた電子マネーを利用して、商品やサービスの代金を決済するときに作動する電子マネー更新手段１６と、広告表示装置付きカード１０に貯まったポイントを利用するときに作動するポイント更新手段１５と、カードデータ（ここでは、電子マネーの残高、ポイントの累計）を電子ペーパー１１０に表示するカードデータ表示手段１３と、広告データを電子ペーパー１１０に表示する広告データ表示手段１４と、データを記憶するデータ記憶手段１７とを備えている。
【００３９】
データ記憶手段１７はＥＥＰＲＯＭ１２４で実現され、データ記憶手段１７には、電子マネーの残高、ポイントの累計、電子ペーパー１１０に表示させる広告データ（ビットマップのデータ）が記憶され、広告データにはカウンタ値が関連付けて記憶されている。
【００４０】
広告表示装置付きカード１０に備えられた非接触通信手段１１は、非接触ＩＣチップ１２０の非接触通信Ｉ／Ｆ１２６やアンテナコイル１１１を利用し、端末装置２０とISO/IEC14443準拠の近接非接触通信する手段で、広告表示装置付きカード１０が非接触ＩＣカードではなく、接触ＩＣカードの場合は、非接触通信手段１１の代わりに、ISO/IEC7816準拠の通信を実現する通信手段が、広告表示装置付きカード１０に備えられる。
【００４１】
広告表示装置付きカード１０に備えられた広告データ書込み手段１２は、端末装置２０から受信した広告データおよびカウンタ値の初期値をデータ記憶手段１７に記憶する機能をＣＰＵに実現させるためのコンピュータプログラムで、具体的には、広告表示装置付きカード１０に実装される一つのコマンド（以下、「広告データ書込みコマンド」と記す。）で実現され、広告データ書込みコマンドのＡＰＤＵを端末装置２から受信すると、広告データ書込み手段１２は、広告データ書込みコマンドのＡＰＤＵに含まれる広告データとカウンタの初期値をＥＥＰＲＯＭ１２４の所定のアドレスに書き込むことで、広告データとカウンタの初期値をデータ記憶手段１７に記憶させる。
【００４２】
ポイント更新手段１５は、データ記憶手段１７に記憶されたポイントの累計を更新するする機能をＣＰＵに実現させるためのコンピュータプログラムで、具体的には、広告表示装置付きカード１０に実装される一つ或いは複数のコマンド（以下、「ポイント更新コマンド」と記す。）で実現され、端末装置２０からポイント更新コマンドのＡＰＤＵを受信すると、ポイント更新手段１５は作動し、ポイントコマンドのＡＰＤＵで示される値に、データ記憶手段１７に記憶されたポイントの累計を更新する。
【００４３】
電子マネー更新手段１６は、データ記憶手段１７に記憶された電子マネーの残高を更新する機能をＣＰＵに実現させるためのコンピュータプログラムで、具体的には、広告表示装置付きカード１０に備えられた一つ或いは複数のコマンド（以下、「電子マネー更新コマンド」と記す。）で実現され、端末装置２０から電子マネーコマンドのＡＰＤＵを受信すると、電子マネー更新手段１６は作動し、電子マネー更新コマンドのＡＰＤＵで示される値に電子マネーの残高を更新し、広告データに関連付けられた記憶されたカウンタ値を一つだけ減算する。
【００４４】
カードデータ表示手段１３は、非接触ＩＣチップ１２０の電子ペーパー駆動回路１２５を作動させ、データ記憶手段１７に記憶されたカードデータ（ここでは、電子マネーの残高およびポイントの累計）を電子ペーパー１１０に表示させる機能を有し、この機能をＣＰＵに実現させるためのコンピュータプログラムで、具体的には、広告表示装置付きカード１０に備えられた一つのコマンド（以下、「カードデータ表示コマンド」と記す。）で実現される。
【００４５】
カードデータ表示手段１３は、電子マネーの残高やポイントの累計が記憶されているＥＥＰＲＯＭ１２４のアドレスを保持し、広告表示装置付きカード１０が端末装置２０からカードデータ表示コマンドのＡＰＤＵを受信すると、保持しているアドレスからカードデータを読取り、読取ったカードデータを電子ペーパー駆動回路１２５に受け渡して、カードデータ、すなわち、電子マネーの残高およびポイントの累計を電子ペーパー１１０の所定の位置に表示させる。
【００４６】
広告データ表示手段１４は、非接触ＩＣチップ１２０の電子ペーパー駆動回路１２５を作動させ、データ記憶手段１７に記憶された広告データを電子ペーパー１１０に表示させる機能を有し、この機能をＣＰＵに実現させるためのコンピュータプログラムで、具体的には、広告表示装置付きカード１０に備えられた一つのコマンド（以下、「広告データ表示コマンド」と記す。）で実現される。
【００４７】
広告データ表示手段１４は、広告データが記憶されているＥＥＰＲＯＭ１２４のアドレスを保持し、広告表示装置付きカード１０が端末装置２０から広告データ表示コマンドのＡＰＤＵを受信すると、保持しているアドレスから広告データを読取り、読取った広告データを電子ペーパー駆動回路１２５に受け渡して、広告データを電子ペーパー１１０の所定の位置に表示させる。
【００４８】
ここから、本実施の形態に係わる広告データ表示管理システム１の一連の動作について説明する。図５は、広告データ表示管理システム１の一連の動作を示したフロー図である。
【００４９】
ユーザが、広告表示装置付きカード１０を端末装置２０の挿入口に挿入すると、端末装置２０の非接触通信手段２１が発信している電波によって、広告表示装置付きカード１０は活性化する。そして、端末装置２０が広告表示装置付きカード１０を認識するまで繰返し送信している初期応答コマンドを広告表示装置付きカード１０は受信すると、広告表示装置付きカード１０は初期応答コマンドのレスポンスを端末装置２０に返信し、端末装置２０は広告表示装置付きカード１０を認識する（Ｓ１）。
【００５０】
端末装置２０は広告表示装置付きカード１０を認識すると、端末装置２０の電子マネー決済手段２３が作動し、電子マネー更新コマンドＡＰＤＵを広告表示装置付きカード１０に送信することで、電子マネーの決済を広告表示装置付きカード１０に要求する（Ｓ２）。
【００５１】
広告表示装置付きカード１０は端末装置２０から電子マネー更新コマンドのＡＰＤＵを受信すると、電子マネー更新手段１６が作動し、データ記憶手段１７に記憶された電子マネーの残高を端末装置２０から示された値に更新した後（Ｓ３）、広告データに関連付けて記憶されているカウンタ値を一つだけ減算し（Ｓ４）、電子マネーの残高およびカウンタ値を端末装置２０へ返信する（Ｓ５）。
【００５２】
なお、端末装置２０が広告表示装置付きカード１０に記憶されたポイントを更新するときは、Ｓ５の後に、端末装置２０のポイント利用手段２４が作動し、広告表示装置付きカード１０に記憶されたポイントの累計を更新する。
【００５３】
端末装置２０は、電子マネーの残高を更新すると、広告表示装置付きカード１０に対してカードデータ（ここでは、電子マネーの残高およびポイントの累計）の表示を要求をする（Ｓ６）。カードデータの表示要求は、カードデータ表示コマンドのＡＰＤＵを広告表示装置付きカード１０に送信することで行われ、広告表示装置付きカード１０は、端末装置２０からカードデータ表示コマンドのＡＰＤＵを受信すると、広告表示装置付きカード１０のカードデータ表示手段１３が作動し、データ記憶手段１７に記憶されているカードデータを電子ペーパー１１０に表示する（Ｓ７）。
【００５４】
端末装置２０は、カードデータを広告表示装置付きカード１０に表示させると、受信したカウンタ値が「０」であるか確認し（Ｓ８）、受信したカウンタ値が「０」でなければこの手順を終了し、受信したカウンタ値が「０」であれば、電子ペーパー１１０に表示させるための広告データとカウンタ値の初期値を広告データベース２５から取得し、広告表示装置付きカード１０に広告データ書込みコマンドのＡＰＤＵを送信することで、新規の広告データの書込みを広告表示装置付きカード１０に要求する（Ｓ９）。
【００５５】
広告表示装置付きカード１０は、広告データ書込みコマンドのＡＰＤＵを受信すると、広告データとカウンタ値の初期値をＥＥＰＲＯＭ１２４の所定のアドレスに書き込むことで、データ記憶手段１７に記憶し（Ｓ１０）、広告データの記憶が終了したことを示すレスポンスを端末装置２０へ返信する。
【００５６】
新規の広告データの広告表示装置付きカード１０への書込みが終了すると、端末装置２０は、広告表示装置付きカード１０に対して広告データの表示を要求する（Ｓ１１）。広告データの表示要求は、広告データ表示コマンドのＡＰＤＵを広告表示装置付きカード１０に送信することで行われ、広告表示装置付きカード１０は、端末装置２０から広告データ表示コマンドのＡＰＤＵを受信すると、広告表示装置付きカード１０の広告データ表示手段１４が作動し、データ記憶手段１７に記憶されている広告データを電子ペーパー１１０に表示し（Ｓ１２）、この手順は終了する。
【００５７】
このように、図５で図示したフローが実行されることによって、ユーザが広告表示装置付きカード１０を利用するとき、広告データに関連付けて記憶されているカウンタ値は減算され、カウンタ値が「０」になったとき、電子ペーパー１１０に表示されている広告データは消去或いは新規の広告データに更新される。
【００５８】
なお、本発明は、これまで説明した実施の形態に限定されることなく、種々の変形や変更が可能でである。
【００５９】
例えば、上述した実施の形態では、広告表示装置付きカード１０に実装された非接触ＩＣチップ１２０が電子ペーパー駆動回路１２５を備えていたが、電子ペーパー駆動回路１２５は非接触ＩＣチップ１２０と独立してカードに実装されていてもよい。
【００６０】
図６は、電子ペーパー駆動回路３３と非接触ＩＣチップ３５を独立した実装したときの広告表示装置付きカード３０のブロック図である。データ表示装置付きカード３０は、端末装置２０と広告データの通信を行う専用の通信Ｉ／Ｆである表示用通信Ｉ／Ｆ３２と、端末装置２０から受信した広告データを表示するデータ表示媒体である電子ペーパー３１と、表示通信Ｉ／Ｆ３２が受信した広告データを電子ペーパー３１に表示させる手段となる電子ペーパー駆動回路３３と、非接触ＩＣカード用の非接触ＩＣチップ３５と、端末装置２０と非接触通信するときに非接触ＩＣチップ３５が利用するアンテナコイル３４を備え、電子ペーパー駆動回路３３と非接触ＩＣチップ３５とは電気的に独立して配置されている。
【００６１】
広告表示装置付きカード３０の電子ペーパー３１に表示させる広告データを更新するとき、端末装置２０は、表示用通信Ｉ／Ｆ３２を用いて広告データを広告表示装置付きカード３０へ送信し、広告データを電子ペーパー３１に表示させると共に、非接触通信でカウンタ値の初期値を非接触ＩＣチップ３５に記憶させる。
【００６２】
そして、非接触ＩＣチップ３５に実装されたアプリケーション（例えば、電子マネーのアプリケーション）を利用した特定の処理が実行されると、非接触ＩＣチップ３５に記憶されたカウンタ値が減算される。カウンタ値が「０」になると端末装置２０は、表示用通信Ｉ／Ｆ３２を介して広告表示装置付きカード３０に広告データを送信し、広告表示装置付きカード３０の電子ペーパー３１に表示させる広告データを更新すると共に、非接触通信でカウンタ値の初期値を非接触ＩＣチップ３５に記憶させる。
【００６３】
また、広告データを表示する装置は、非接触ＩＣカードでなくともよく、接触ＩＣカード、更には、非接触ＩＣカードの機能を備えた携帯電話であってもよい。非接触ＩＣカードの機能を備えた携帯電話を本発明に係わる装置とするときは、携帯電話のディスプレイが広告データを表示する表示媒体となり、広告データは携帯電話のメモリに記憶され、カウンタ値は、非接触ＩＣカードの機能を果たすために携帯電話に実装されるＩＣチップに記憶される。
【００６４】
そして、携帯電話に備えられた非接触ＩＣカードの機能を利用するためのアプリケーションが起動したときや、特定の処理が実施されたとき、このＩＣチップに記憶されたカウンタ値は減算され、カウンタ値が「０」になると、携帯電話に記憶された広告データは、端末装置から送信された広告データに更新される。
【図面の簡単な説明】
【００６５】
【図１】広告データ表示管理システムの構成図。
【図２】端末装置の機能ブロック図。
【図３】広告表示装置付きカードの回路ブロック図。
【図４】広告表示装置付きカードの機能ブロック図。
【図５】広告データ表示管理システムの一連の動作を示したフロー図。
【図６】電子ペーパー駆動回路と非接触ＩＣチップを独立した実装したときの広告表示装置付きカードのブロック図。
【符号の説明】
【００６６】
１  広告データ表示管理システム
１０、３０  広告表示装置付きＩＣカード
１１  非接触通信手段
１２  広告データ書込み手段
１３  カードデータ表示手段
１４  広告データ表示手段
１５  ポイント利用手段
１６  電子マネー利用手段
１７  データ記憶手段
１１０  電子ペーパー
１１１  アンテナコイル
２０  端末装置
２１  非接触通信手段
２２  広告データ更新手段
２３  電子マネー決済手段
２４  ポイント利用手段
２５  データ記憶手段
【図１】
0005181589.tif 000002
【図２】
0005181589.tif 000003
【図３】
0005181589.tif 000004
【図４】
0005181589.tif 000005
【図５】
0005181589.tif 000006
【図６】
0005181589.tif 000007